【手続補正書】
【提出日】平成25年9月17日(2013.9.17)
【手続補正１】
【補正対象書類名】明細書
【補正対象項目名】発明の名称
【補正方法】変更
【補正の内容】
【発明の名称】画像処理装置および画像処理方法
【手続補正２】
【補正対象書類名】明細書
【補正対象項目名】０００１
【補正方法】変更
【補正の内容】
【０００１】
本発明は、記録媒体の同一領域に対し、記録手段（記録ヘッド）を複数回相対移動させることによって同一領域に画像を記録するための、同一領域に対応する画像データを処理する画像処理装置及び画像処理方法に関する。
【手続補正３】
【補正対象書類名】明細書
【補正対象項目名】００１６
【補正方法】変更
【補正の内容】
【００１６】
上記課題を解決するための本発明は、記録媒体とインクを吐出するための記録ヘッドとの少なくとも第１、第２の走査を含む複数回の走査方向への相対的な走査を行いながら、前記記録媒体上の所定領域に対する前記複数回の走査のそれぞれにおいて前記所定領域内の複数の画素領域のそれぞれにインクを吐出してドットを記録することにより前記所定領域に画像を記録するための第１の解像度に対応する記録データを、前記所定領域に対応し、且つ、前記第１の解像度よりも低い第２の解像度に対応する多値の画像データに基づき生成する画像処理装置であって、前記画像データを分配することにより、少なくとも前記第１の走査に対応し、且つ、前記第２の解像度に対応する第１の多値データと、少なくとも前記第２の走査に対応し、且つ、前記第２の解像度に対応する第２の多値データと、を含む複数の多値データを生成する分配手段と、前記第１、第２の多値データのそれぞれを量子化することにより、それぞれ前記第２の解像度に対応する第１、第２の量子化データを生成する量子化手段と、前記第１の解像度に対応し、前記所定領域内の複数の画素領域のそれぞれに対するドットの記録あるいは非記録を前記量子化データの値に応じて定めるドットパターンを用い、前記第１の量子化データと第１の前記ドットパターンに基づいて前記第１の走査で記録を行うための第１の前記記録データを生成し、前記第２の量子化データと第２の前記ドットパターンに基づいて前記第２の走査で記録を行うための第２の前記記録データを生成する記録データ生成手段と、を備え、前記第２のドットパターンにおいてドットの記録を定める前記複数の画素領域のうち、少なくとも１つの第１の画素領域は前記第１のドットパターンにおいてドットの非記録を定める画素領域であり、前記第１の画素領域と異なる少なくとも１つの第２の画素領域は前記第１のドットパターンにおいてドットの記録を定める画素領域であることを特徴とする。
【手続補正４】
【補正対象書類名】特許請求の範囲
【補正対象項目名】全文
【補正方法】変更
【補正の内容】
【特許請求の範囲】
【請求項１】
記録媒体とインクを吐出するための記録ヘッドとの少なくとも第１、第２の走査を含む複数回の走査方向への相対的な走査を行いながら、前記記録媒体上の所定領域に対する前記複数回の走査のそれぞれにおいて前記所定領域内の複数の画素領域のそれぞれにインクを吐出してドットを記録することにより前記所定領域に画像を記録するための第１の解像度に対応する記録データを、前記所定領域に対応し、且つ、前記第１の解像度よりも低い第２の解像度に対応する多値の画像データに基づき生成する画像処理装置であって、
前記画像データを分配することにより、少なくとも前記第１の走査に対応し、且つ、前記第２の解像度に対応する第１の多値データと、少なくとも前記第２の走査に対応し、且つ、前記第２の解像度に対応する第２の多値データと、を含む複数の多値データを生成する分配手段と、
前記第１、第２の多値データのそれぞれを量子化することにより、それぞれ前記第２の解像度に対応する第１、第２の量子化データを生成する量子化手段と、
前記第１の解像度に対応し、前記所定領域内の複数の画素領域のそれぞれに対するドットの記録あるいは非記録を前記量子化データの値に応じて定めるドットパターンを用い、前記第１の量子化データと第１の前記ドットパターンに基づいて前記第１の走査で記録を行うための第１の前記記録データを生成し、前記第２の量子化データと第２の前記ドットパターンに基づいて前記第２の走査で記録を行うための第２の前記記録データを生成する記録データ生成手段と、を備え、
前記第２のドットパターンにおいてドットの記録を定める前記複数の画素領域のうち、少なくとも１つの第１の画素領域は前記第１のドットパターンにおいてドットの非記録を定める画素領域であり、前記第１の画素領域と異なる少なくとも１つの第２の画素領域は前記第１のドットパターンにおいてドットの記録を定める画素領域であることを特徴とする画像処理装置。
【請求項２】
前記量子化手段は、前記第１、第２の多値データのそれぞれを誤差拡散法によって量子化することを特徴とする請求項１に記載の画像処理装置。
【請求項３】
前記量子化手段は、前記第１、第２の多値データのそれぞれを２値化することを特徴とする請求項１または２に記載の画像処理装置。
【請求項４】
前記第１、第２の多値データは、互いにほぼ等しい値であることを特徴とする請求項１から３のいずれか１項に記載の画像処理装置。
【請求項５】
前記第１のドットパターンと前記第２のドットパターンは、前記第１の走査と前記第２の走査の間に記録位置ずれが生じた場合に記録される画像におけるドットの被覆面積が、前記第１の走査と前記第２の走査の間の記録位置ずれに生じなかった場合に記録される画像におけるドットの被覆面積と略一定となるように、前記複数の画素領域のそれぞれに対するドットの記録あるいは非記録を定めることを特徴とする請求項１から４のいずれか１項に記載の画像処理装置。
【請求項６】
前記所定領域を含み、前記複数回の走査で記録を行う第１の走査領域と、前記第１の走査領域と隣接し、他の前記所定領域を含み、前記複数回の走査で記録を行う第２の走査領域と、のそれぞれに記録を行う場合に、前記第２の走査は、前記第１の走査よりも後の走査であることを特徴とする請求項１から５のいずれか１項に記載の画像処理装置。
【請求項７】
前記第２の走査は、前記記録媒体上のいずれの前記走査領域に記録を行う場合であっても、前記第１の走査よりも後の走査であることを特徴とする請求項６に記載の画像処理装置。
【請求項８】
前記記録ヘッドは、インクを吐出する複数の吐出口が前記走査方向と交差する配列方向に配列された第１の吐出口列を少なくとも有し、
前記記録媒体は、前記第１の走査と前記第２の走査の間に前記走査方向と交差する搬送方向に沿って上流側から下流側へと搬送され、
前記第１の記録データは、前記第１の走査において前記第１の吐出口列に連続的に配列された複数の前記吐出口から構成される第１の吐出口群から前記所定領域内の画素のそれぞれにインクを吐出する際に用いられ、前記第２の記録データは、前記第２の走査において前記第１の吐出口列に連続的に配列され、前記第１の吐出口群よりも前記下流側に配列された複数の前記吐出口から構成される第２の吐出口群から前記所定領域の画素のそれぞれにインクを吐出する際に用いられることを特徴とする請求項６または７に記載の画像処理装置。
【請求項９】
前記記録ヘッドは、インクを吐出する複数の吐出口が前記配列方向に配列され、前記複数の吐出口のそれぞれが前記第１の吐出口列に配列された前記配列方向に隣接する２つの吐出口の前記配列方向における間に位置するように配列された第２の吐出口列を更に有し、
前記第１の記録データは、前記第１の走査において前記第２の吐出口列に連続的に配列された複数の前記吐出口から構成される第３の吐出口群から前記所定領域内の画素のそれぞれにインクを吐出する際に用いられ、前記第２の記録データは、前記第２の走査において前記第２の吐出口列に連続的に配列され、前記第３の吐出口群よりも前記下流側に配列された複数の前記吐出口から構成される第４の吐出口群から前記所定領域の画素のそれぞれにインクを吐出する際に用いられることを特徴とする請求項８に記載の画像処理装置。
【請求項１０】
前記記録データ生成手段は、所定の前記走査において前記第２の吐出口群からインクを吐出するための記録データを生成する場合、前記所定の走査において前記第１の吐出口群からインクを吐出するための記録データを生成する場合に用いる前記ドットパターンと異なるドットパターンを用いることを特徴とする請求項８または９に記載の画像処理装置。
【請求項１１】
前記分配手段は、前記多値の画像データを前記第１および第２の走査のいずれにも対応し、且つ、前記第２の解像度に対応する第３の多値データを更に生成し、
前記量子化手段は、前記第３の多値データを量子化することにより前記第２の解像度に対応する第３の量子化データ更に生成し、
前記第１、第３の量子化データに基づいて前記第１の走査に対応する第４の量子化データを生成し、前記第２、第３の量子化データに基づいて前記第２の走査に対応する第５の量子化データを生成する合成手段を更に備え、
前記記録データ生成手段は、前記第４の量子化データと前記第１のドットパターンに基づいて前記第１の記録データを生成し、前記第５の量子化データと前記第２のドットパターンに基づいて前記第２の記録データを生成することを特徴とする請求項１から１０のいずれか１項に記載の画像処理装置。
【請求項１２】
前記第１、第２の量子化データの値は、０ではなく、且つ、前記量子化データにより表現可能な値のうちの最大の値ではないことを特徴とする請求項１から１１のいずれか１項に記載の画像処理装置。
【請求項１３】
前記第１の解像度は６００ｄｐｉ×１２００ｄｐｉであり、前記第２の解像度は６００ｄｐｉ×６００ｄｐｉであることを特徴とする請求項１から１２のいずれか１項に記載の画像処理装置。
【請求項１４】
前記所定領域は、３２個の画素領域から構成されることを特徴とする請求項１から１３のいずれか１項に記載の画像処理装置。
【請求項１５】
コンピュータを、請求項１から１４のいずれかに記載の画像処理装置として機能させることを特徴とするプログラム。
【請求項１６】
記録媒体とインクを吐出するための記録ヘッドとの少なくとも第１、第２の走査を含む複数回の走査方向への相対的な走査を行いながら、前記記録媒体上の所定領域に対する前記複数回の走査のそれぞれにおいて前記所定領域内の複数の画素領域のそれぞれにインクを吐出してドットを記録することにより前記所定領域に画像を記録するための第１の解像度に対応する記録データを、前記所定領域に対応し、且つ、前記第１の解像度よりも低い第２の解像度に対応する多値の画像データに基づき生成する画像処理方法であって、
前記画像データを分配することにより、少なくとも前記第１の走査に対応し、且つ、前記第２の解像度に対応する第１の多値データと、少なくとも前記第２の走査に対応し、且つ、前記第２の解像度に対応する第２の多値データと、を含む複数の多値データを生成し、
前記第１、第２の多値データのそれぞれを量子化することにより、それぞれ前記第２の解像度に対応する第１、第２の量子化データを生成し、
前記第１の解像度に対応し、前記所定領域内の複数の画素領域のそれぞれに対するドットの記録あるいは非記録を前記量子化データの値に応じて定めるドットパターンを用い、前記第１の量子化データと第１の前記ドットパターンに基づいて前記第１の走査で記録を行うための第１の前記記録データを生成し、前記第２の量子化データと第２の前記ドットパターンに基づいて前記第２の走査で記録を行うための第２の前記記録データを生成し、
前記第２のドットパターンにおいてドットの記録を定める前記複数の画素領域のうち、少なくとも１つの第１の画素領域は前記第１のドットパターンにおいてドットの非記録を定める画素領域であり、前記第１の画素領域と異なる少なくとも１つの第２の画素領域は前記第１のドットパターンにおいてドットの記録を定める画素領域であることを特徴とする画像処理方法。